(57)【特許請求の範囲】
【請求項１】
消毒液を収納する収納容器と、空気を噴霧ノズルに所定圧力で供給する電磁ポンプと、ノズルの軸角度を調整可能に設け前記電磁ポンプから供給される空気を噴出することにより前記収納容器からパイプを介して負圧で汲み上げて霧状に噴出する噴霧ノズルと、前記噴霧ノズルの下方に手を挿入すると手が挿入されたことを検知するセンサーと、自動位置のときに前記センサーをオンし手動位置のときに前記センサーをオフする自動・手動切替スイッチと、前記自動・手動切替スイッチが手動位置にあるときにのみ作動する手動噴霧スイッチと、前記噴霧ノズルの軸角度を検出する角度センサーと、前記角度センサーによって検出される前記噴霧ノズルが定位置にある場合又は軸角度が所定値以上（以下）である場合に前記センサーに接続する回路を遮断する自動運転停止スイッチと、前記センサーの検知又は前記手動噴霧スイッチの投入によって前記電磁ポンプを一定時間作動する制御回路と、前記制御回路に電源を供給するバッテリを備えてなる消毒器。
【請求項２】
消毒液を収納する収納容器と、空気を噴霧ノズルに所定圧力で供給する電磁ポンプと、ノズルの軸角度を調整可能に設け前記電磁ポンプから供給される空気を噴出することにより前記収納容器からパイプを介して負圧で汲み上げて霧状に噴出する噴霧ノズルと、前記噴霧ノズルの下方に手を挿入すると手が挿入されたことを検知するセンサーと、自動位置のときに前記センサーをオンし手動位置のときに前記センサーをオフする自動・手動切替スイッチと、前記自動・手動切替スイッチが手動位置にあるときにのみ作動する手動噴霧スイッチと、前記噴霧ノズルの軸角度を検出する角度センサーと、前記角度センサーによって検出される前記噴霧ノズルの軸角度が所定値以上である場合に前記センサーに接続する回路を遮断する自動運転停止スイッチと、前記センサーの検知又は前記手動噴霧スイッチの投入によって前記電磁ポンプを一定時間作動する制御回路と、前記制御回路と前記電磁ポンプと前記センサーに電源を供給すると共にＤＣ電源の供給を受けて電力を充電できる充電池とを備えた噴霧器本体と、前記噴霧器本体を支持する支持台と、前記支持台に内蔵され商用ＡＣ電力を所定電圧のＤＣ電力に変換してＤＣ電源供給端子から前記制御回路と前記電磁ポンプと前記センサーに電力を供給すると共に充電池に充電電力を供給する充電器とを備え前記噴霧器本体と分離可能に構成してなる台座と、によって構成したことを特徴とする消毒器。
【請求項３】
消毒液を収納する収納容器と、空気を噴霧ノズルに所定圧力で供給する電磁ポンプと、ノズルの軸角度を調整可能に設け前記電磁ポンプから供給される空気を噴出することにより前記収納容器からパイプを介して負圧で汲み上げて霧状に噴出する噴霧ノズルと、前記噴霧ノズルの下方に手を挿入すると手が挿入されたことを検知するセンサーと、自動位置のときに前記センサーをオンし手動位置のときに前記センサーをオフする自動・手動切替スイッチと、前記自動・手動切替スイッチが手動位置にあるときにのみ作動する手動噴霧スイッチと、前記噴霧ノズルの軸方向が定位置にあることを検出するノズル定位置検出センサーと、前記ノズル定位置検出センサーの検出がある場合のみ前記センサーを作動させるセンサー作動スイッチと、前記センサーの検知又は前記手動噴霧スイッチの投入によって前記電磁ポンプを一定時間作動する制御回路と、前記制御回路と前記電磁ポンプと前記センサーに電源を供給すると共にＤＣ電源の供給を受けて電力を充電できる充電池とを備えた噴霧器本体と、前記噴霧器本体を支持する支持台と、前記支持台に内蔵され商用ＡＣ電力を所定電圧のＤＣ電力に変換してＤＣ電源供給端子から前記制御回路と前記電磁ポンプと前記センサーに電力を供給すると共に充電池に充電電力を供給する充電器とを備え前記噴霧器本体と分離可能に構成してなる台座と、によって構成したことを特徴とする消毒器。
【請求項４】
上記噴霧ノズルにより噴霧した消毒液の雫受けを備えたトレイを上記噴霧ノズルの下方の位置の上記支持台に設けたものである請求項２又は３に記載の消毒器。
【請求項５】
上記噴霧ノズルは、ディフューザがねじ込み式で着脱可能に構成されており、空気と消毒液を混合するノズルを取り外しが自由に構成されたものである請求項１、２又は３に記載の消毒器。
【発明の詳細な説明】
【０００１】
【産業上の利用分野】
本発明は、消毒液を噴霧し手指の消毒をしたりする消毒器に係り、特に機器に触れることなく消毒液を自動的に噴霧したり、携行して必要なとき必要な箇所に消毒液を霧状に噴出させて消毒等を行う消毒器に関する。
【０００２】
【従来の技術】
手指を消毒するのに手を挿入したことをセンサーが検知してノズルから消毒液を霧状に噴出させて行う手指消毒器は従来から種々知られている。例えば、特公平７−２１５５号公報に示される如きものがある。すなわち、内部に消毒液タンクや電磁ポンプなどを収納する消毒器本体部の後端に立上がり部を一体に備え、この立上がり部の前側に正面開口のフードを設けて消毒室を形成している。そして、消毒室の上端における左右幅方向中央に消毒液噴霧ノズルを２本取り付け、この２本の消毒液噴霧ノズルの前方に消毒室内に手を挿入したことを検知するセンサーを取り付け、消毒室内に両手を挿入するとそのことをセンサーが検知して消毒器本体部内部の電磁ポンプに信号が送られ、消毒液タンクから汲み上げられた消毒液が消毒液供給パイプを通って消毒液噴霧ノズルから噴出するようになっている。そして、２本の消毒液噴霧ノズルから噴出された消毒液が手にかかり始めると、消毒室の中で掌を左右に動かしながら両手に幅広く消毒液を振り掛けるようにし、２本の消毒液噴霧ノズルからの消毒液の噴出が止まった後、消毒室の外で両手で消毒液を擦り込むことにより消毒を完了する。
【０００３】
【発明が解決しようとする課題】
しかしながら、従来の消毒器にあっては、台座と噴霧器本体とが一体に形成され、かつフードによって覆われているため、消毒できる範囲はフード内と限定されるほか携行することができなかった。
【０００４】
本発明の目的は、従来のように消毒はもちろん、消毒器の台座と噴霧器本体とが分割でき携行でき、寝たきりの病人に対する消毒、病室の出入時の被服の消毒、クリーンルームの消毒、ベッドの手摺や医療器具等の消毒又は電源のない場所での消毒等を容易に行えるようにしようというものである。
【０００５】
【課題を解決するための手段】
請求項１に記載の発明に係る消毒器は、消毒液を収納する収納容器と、空気を噴霧ノズルに所定圧力で供給する電磁ポンプと、ノズルの軸角度を調整可能に設け前記電磁ポンプから供給される空気を噴出することにより前記収納容器からパイプを介して負圧で汲み上げて霧状に噴出する噴霧ノズルと、前記噴霧ノズルの下方に手を挿入すると手が挿入されたことを検知するセンサーと、自動位置のときに前記センサーをオンし手動位置のときに前記センサーをオフする自動・手動切替スイッチと、前記自動・手動切替スイッチが手動位置にあるときにのみ作動する手動噴霧スイッチと、前記噴霧ノズルの軸角度を検出する角度センサーと、前記角度センサーによって検出される前記噴霧ノズルが定位置にある場合又は軸角度が所定値以上（以下）である場合に前記センサーに接続する回路を遮断する自動運転停止スイッチと、前記センサーの検知又は前記手動噴霧スイッチの投入によって前記電磁ポンプを一定時間作動する制御回路と、前記制御回路に電源を供給するバッテリとによって構成したものである。
【０００６】
請求項２に記載の発明に係る消毒器は、消毒液を収納する収納容器と、空気を噴霧ノズルに所定圧力で供給する電磁ポンプと、ノズルの軸角度を調整可能に設け前記電磁ポンプから供給される空気を噴出することにより前記収納容器からパイプを介して負圧で汲み上げて霧状に噴出する噴霧ノズルと、前記噴霧ノズルの下方に手を挿入すると手が挿入されたことを検知するセンサーと、自動位置のときに前記センサーをオンし手動位置のときに前記センサーをオフする自動・手動切替スイッチと、前記自動・手動切替スイッチが手動位置にあるときにのみ作動する手動噴霧スイッチと、前記噴霧ノズルの軸角度を検出する角度センサーと、前記角度センサーによって検出される前記噴霧ノズルの軸角度が所定値以上である場合に前記センサーに接続する回路を遮断する自動運転停止スイッチと、前記センサーの検知又は前記手動噴霧スイッチの投入によって前記電磁ポンプを一定時間作動する制御回路と、前記制御回路と前記電磁ポンプと前記センサーに電源を供給すると共にＤＣ電源の供給を受けて電力を充電できる充電池とを備えた噴霧器本体と、前記噴霧器本体を支持する支持台と、前記支持台に内蔵され商用ＡＣ電力を所定電圧のＤＣ電力に変換してＤＣ電源供給端子から前記制御回路と前記電磁ポンプと前記センサーに電力を供給すると共に充電池に充電電力を供給する充電器とを備え前記噴霧器本体と分離可能に構成してなる台座と、によって構成したものである。
【０００７】
請求項３に記載の発明に係る消毒器は、消毒液を収納する収納容器と、空気を噴霧ノズルに所定圧力で供給する電磁ポンプと、ノズルの軸角度を調整可能に設け前記電磁ポンプから供給される空気を噴出することにより前記収納容器からパイプを介して負圧で汲み上げて霧状に噴出する噴霧ノズルと、前記噴霧ノズルの下方に手を挿入すると手が挿入されたことを検知するセンサーと、自動位置のときに前記センサーをオンし手動位置のときに前記センサーをオフする自動・手動切替スイッチと、前記自動・手動切替スイッチが手動位置にあるときにのみ作動する手動噴霧スイッチと、前記噴霧ノズルの軸方向が定位置にあることを検出するノズル定位置検出センサーと、前記ノズル定位置検出センサーの検出がある場合のみ前記センサーを作動させるセンサー作動スイッチと、前記センサーの検知又は前記手動噴霧スイッチの投入によって前記電磁ポンプを一定時間作動する制御回路と、前記制御回路と前記電磁ポンプと前記センサーに電源を供給すると共にＤＣ電源の供給を受けて電力を充電できる充電池とを備えた噴霧器本体と、前記噴霧器本体を支持する支持台と、前記支持台に内蔵され商用ＡＣ電力を所定電圧のＤＣ電力に変換してＤＣ電源供給端子から前記制御回路と前記電磁ポンプと前記センサーに電力を供給すると共に充電池に充電電力を供給する充電器とを備え前記噴霧器本体と分離可能に構成してなる台座と、によって構成したものである。
【０００８】
請求項４に記載の発明に係る消毒器は、上記噴霧ノズルにより噴霧した消毒液の雫受けを備えたトレイを上記噴霧ノズルの下方の位置の上記支持台に設けて構成したものである。
【０００９】
請求項５に記載の発明に係る消毒器は、上記噴霧ノズルは、ディフューザがねじ込み式で着脱可能に構成されており、空気と消毒液を混合するノズルを取り外しが自由に構成したものである。
【００１０】
【作用】
請求項１に記載の発明によると、容易に携行することができ、噴霧ノズルの軸角度を調整可能に構成してあるため、必要に応じ噴霧しようとする箇所に消毒液を必要なだけ噴霧することができ、さらに角度センサーによって検出される噴霧ノズルの軸角度が所定値以上である場合、自動運転停止スイッチによってセンサーに接続する回路を遮断して、噴霧ノズルが所定角度を向いていないことを知らずに噴霧ノズルの下方に手を挿入してもセンサーが検知して消毒液を噴霧させるようなことをなくし、ノズル定位置検出センサーによって噴霧ノズルの軸方向が定位置にあることを検出するとセンサー作動スイッチによってセンサーを作動させるようにしてあるため、噴霧ノズルが定位置にないのに誤って噴霧ノズルの下方に手を挿入してもセンサーが作動せず消毒液を噴霧させることがなく、噴霧される消毒液が身体や服等に掛かることがないようにすることができる。
【００１１】
請求項２に記載の発明によると、角度センサーによって検出される噴霧ノズルの軸角度が所定値以上である場合、自動運転停止スイッチによってセンサーに接続する回路を遮断して、噴霧ノズルが下方を向いていないことを知らずに噴霧ノズルの下方に手を挿入してもセンサーが検知して消毒液を噴霧させるようなことをなくし、噴霧される消毒液が身体や服等に掛かることがないようにすることができる。
【００１２】
請求項３に記載の発明によると、ノズル定位置検出センサーによって噴霧ノズルの軸方向が垂直方向にあることを検出するとセンサー作動スイッチによってセンサーを作動させるようにしてあるため、噴霧ノズルが一定方向を向いていないのに誤って噴霧ノズルの下方に手を挿入してもセンサーが作動せず消毒液を噴霧させることがなく、噴霧される消毒液が身体や服等に掛かることがないようにすることができる。
【００１３】
請求項４に記載の発明によると、噴霧ノズルにより噴霧した消毒液の雫受けを備えたトレイを噴霧ノズルの下方の位置の支持台に設けてあるため、噴霧した消毒液の雫を楽に排出することができる。
【００１４】
請求項５に記載の発明によると、噴霧ノズルのディフューザをねじ込み式にして着脱可能に構成してあるため、噴霧ノズルに目詰りを起こしても誰にでも簡単に目詰りを解消することができ、また誰でも簡単に元の噴霧ノズルに組み立てることができる。
【００１５】
【実施例】
以下、本発明の実施例について図面を用いて詳細に説明する。
図１、図２、図３には、本願請求項１記載の発明に係る消毒器の一実施例が示されている。
図において、１は消毒液噴霧器である。２は収納容器で、本体３に着脱自在に取り付けられており、本体３から噴霧する消毒液を収納するものである。この収納容器２内に収納する消毒液としては、一般的に医者、看護婦、看者等が使用する医療用消毒液を想定しており、特に容器に触れずに噴霧して消毒液を使用する必要があるものに有効である。
【００１６】
４は噴霧ノズルで、噴霧ノズル４の軸角度が調整可能に設けられ、噴霧ノズル４の軸角度を調整することにより、ノズル方向が略垂直位置から略横９０゜の位置まで複数段に又は無段に調整できるように設けられている。そして、消毒液噴霧器１の本体３に内蔵される電磁ポンプ８から所定圧力で供給される空気を先端から噴出することにより噴霧ノズル４に形成された穴に通じるパイプを介して収納容器２内の消毒液を負圧で汲み上げて、噴出する空気と共に噴霧ノズル４の先端から噴霧するようになっている。
【００１７】
５は噴霧時間調節ツマミで、この噴霧時間調節ツマミ５を回すことによって本体３に内蔵される電磁ポンプ８の作動する時間を調節しており、この噴霧ノズル４の噴霧時間を調節することによって噴霧ノズル４から噴霧される消毒液の量を調整している。
【００１８】
６はセンサーで、図２に示す如く、噴霧ノズル４の近傍に設けられており、噴霧ノズル４の下方に手を挿入した際に、手が挿入されたことを検知するものである。そして、このセンサー６の検知により消毒液噴霧器１の本体３に内蔵される図３に示す如き回路が作動する。図３において、７は制御回路であり、この制御回路７には、外部から電源（通常はＤＣ電源）が供給されており、この制御回路７は、センサー６及び電磁ポンプ８に作動電源を供給すると共に、手が挿入されたことを検知したセンサー６からの信号を受けて電磁ポンプ８を一定時間作動させる機能を有している。
【００１９】
９は自動・手動切替スイッチで、消毒液噴霧器１の上面に設けられており、センサー６の下方に手を挿入すると、手の挿入を検知して自動的に消毒液を噴霧する自動運転と、センサー６の下方に手を挿入してもセンサー６が作動せず別な作動スイッチによって消毒液を噴霧する手動運転とを切り替えるもので、自動・手動切替スイッチ９が自動位置のときにセンサー６をオンし、手動位置のときにセンサー６をオフする回路構成となっている。
【００２０】
１３は前記噴霧ノズル４の軸角度を検出する角度センサーである。１４は自動運転停止スイッチであり、図３に示すように、前記角度センサー１３によって検出される噴霧ノズル４の定位置にある場合（例えば、垂直位置）又は軸角度が所定値以上である場合（例えば、垂直位置を基準として横方向に）にセンサー６に接続する制御回路７を遮断するようになっている。
【００２１】
すなわち、図において、本体３の上面に設けられている自動・手動切替スイッチ９は、センサー６の下方に手を挿入すると、手の挿入を検知して自動的に消毒液を噴霧する自動運転と、センサー６の下方に手を挿入してもセンサー６が作動せず別な作動スイッチ（手動噴霧スイッチ１１）によって消毒液を噴霧する手動運転とを切り替えるもので、自動・手動切替スイッチ９が自動位置のときにセンサー６が制御回路７に接続され、手動位置のときにセンサー６と制御回路７の接続が遮断される。さらに、自動・手動切替スイッチ９が自動位置にある場合であっても、角度センサー１３によって噴霧ノズル４の位置が定位置にある場合（例えば、垂直位置）又は軸角度が所定値以上である場合（例えば、垂直位置を基準として横方向に）には、自動運転停止スイッチ１４がオフして自動・手動切替スイッチ９とセンサー６とを接続する回路を遮断し、センサー６の下方に手を挿入してもセンサー６によって制御回路７を作動させることなく、噴霧ノズル４から消毒液を噴霧することがないようになっている。
【００２２】
１０は把手で消毒液噴霧器１を移動したりするときに使用するもので、この把手１０の先端近傍には手動噴霧スイッチ１１が設けられており、この手動噴霧スイッチ１１は自動・手動切替スイッチ９が手動位置にあるときにのみ作動するもので、投入（ＯＮ）することによって制御回路７を作動し、電磁ポンプ８を一定時間駆動させて一定量の消毒液を噴霧ノズル４から噴霧させる。
【００２３】
図３中、１２はバッテリで、消毒液噴霧器１の本体３内に収納されており、制御回路７に電源を供給するものである。この図３は、自動・手動切替スイッチ９と、手動噴霧スイッチ１１と、センサー６と、制御回路７と、電磁ポンプ８と、バッテリ１２と角度センサーと自動運転停止スイッチ１４の関係を示している。
【００２４】
次に、本実施例の作用について説明する。
収納容器２内に、使用する消毒液、例えば消毒液を入れ、把手１０を持って適宜場所に移動し自動・手動切替スイッチ９を自動位置又は手動位置にセットする。自動・手動切替スイッチ９を自動位置にすると、手動噴霧スイッチ１１を押しても噴霧ノズル４から消毒液が噴霧されることがなく、センサー６の下方に手を挿入することによって、センサー６が手の挿入を検知して制御回路７を作動し電磁ポンプ８を一定時間駆動させて一定量の消毒液を噴霧ノズル４から噴霧する筈であるが、角度センサー１３によって検出される噴霧ノズル４の軸角度が定位置にある場合又は軸角度が所定値以上（以下）である場合に自動運転停止スイッチ１４が作動しセンサー６に接続する回路を遮断し、センサー６が手の挿入を検知しても制御回路７を作動させることなく電磁ポンプ８を作動させない。
【００２５】
また、自動・手動切替スイッチ９を手動位置にすると、センサー６の下方に手を挿入してもセンサー６は作動しないが、手動噴霧スイッチ１１を押すと、制御回路７が作動し電磁ポンプ８を一定時間駆動させて一定量の消毒液を噴霧ノズル  ４から噴霧する。この自動・手動切替スイッチ９が手動位置の場合には、図３に示す如くセンサー６に接続される回路は開成されて使用されないため、角度センサー１３によって検出される噴霧ノズル４の軸角度が定位置にない場合又は軸角度が垂直位置を基準に所定値以上であった場合で自動運転停止スイッチ１４が作動しても、手動噴霧スイッチ１１を押すことによって制御回路７が作動し電磁ポンプ８を一定時間駆動させて一定量の消毒液を噴霧ノズル４から噴霧する。
【００２６】
図４、図５、図６、図７、図８、図９には、本願請求項２記載の発明に係る消毒器の一実施例が示されている。
図において、１は消毒液噴霧器で、噴霧器本体４０と台座４１とによって構成されている。
噴霧器本体４０は、台座４１とは別体に構成されており、噴霧器本体４０を図５に示す如く、台座４１から取り外して独立して使用できるように構成されている。台座４１は、図７に示す如く、噴霧器本体４０とは独立したものとして構成されており、噴霧器本体４０を図４に示す如く載置して使用することもできるようになっている。
【００２７】
５１は支持台で、Ｌ字型に形成されており噴霧器本体４０を載置して支持するものである。５２はＤＣ電源を供給するＤＣ電源供給端子で、噴霧器本体４０を台座４１に載置した際に噴霧器本体４０の接続端子５３と接続するようになっている。
【００２８】
５４は受台で噴霧器本体４０を台座４１に載置したときに収納容器４３を載置する所である。５５はトレイで、円板凹面状に形成され支持台５１に取り付けられ、噴霧ノズル４４の下方に位置し、噴霧ノズル４４により噴霧した消毒液の雫を受け排出するものである。５６は排出口で、トレイ５５の略中央に複数個設けられている。
【００２９】
３２はＡＣ電源端子で、商用のＡＣ電源に接続するもので、支持台５１に取り付けられ、ＤＣ電源供給器に接続されている。このＤＣ電源供給器は、支持台５１に内蔵され、商用ＡＣ電力を所定電圧の ＤＣ電力に変換して制御回路４７に電力を供給するようになっている。更に本例では、図９に示す如く、充電池５７に充電電力を供給する充電器５８を備えている。
【００３０】
４２は把手で、噴霧器本体４０を台座４１から取り外して携行する場合に使用する。４３は収納容器で、噴霧器本体４０から噴霧する消毒液を収納するものである。この収納容器４３内に収納する消毒液としては、一般的に医者、看護婦、看者等が使用する消毒液を想定しており、特に容器に触れずに噴霧して消毒液を使用する必要があるものに有効である。
【００３１】
４４は噴霧ノズルで、この噴霧ノズル４４は、図８に示す如く、ノズルを内蔵するディフューザ７０が回動軸７１に矢印Ａに示す如く、ノズルの軸角度を垂直位置から横略９０度位置まで複数段に調整可能に回動自在に取り付けられている。この回動軸７１には、四半円弧状に形成されたカム７２が固定されており、このカム７２の円周面に凹部７３が複数個設けられており、この凹部７３にストッパ７４が嵌合することによって噴霧ノズル４４の軸角度が決められる。また、噴霧ノズル４４のディフューザ７０は、ねじ込み式で着脱可能に構成し、空気と消毒液を混合するノズルを取り外し自由に構成したものである。
４５は噴霧時間調節ツマミで、この噴霧時間調節ツマミ４５を回すことによって噴霧器本体４０に内蔵される電磁ポンプ４８の作動する時間を調節しており、この噴霧ノズル４４の噴霧時間を調節することによって噴霧ノズル４４から噴霧される消毒液の量を調整している。
【００３２】
４６はセンサーで、前記請求項１記載の発明の実施例におけるセンサー６と同様に構成されており、図６に示す如く噴霧ノズル４４に隣接して下方に向けて設けられている。このセンサー４６は、下方に手を挿入すると検知し、検知信号を出力するもので、噴霧ノズル４４の下方に手を挿入することによって噴霧ノズル４４に隣接して設けられているセンサー４６の下方にも手が及び、噴霧ノズル４４の下方に手を挿入したことを検知することになる。
【００３３】
そして、このセンサー４６の検知により噴霧器本体４０に内蔵される図９に示す如き回路が作動する。すなわち、図９において４７は制御回路、４８は電磁ポンプ、４９はＤＣバッテリである。制御回路４７には、台座４１から取り外して噴霧器本体４０を携行して使用する場合には充電池５７から、噴霧器本体４０を台座４１にセットして使用する場合にはＤＣ電源供給器５０から電源が供給されるようになっている。
【００３４】
前記制御回路４７は、センサー４６及び電磁ポンプ４８に作動電源を供給すると共に、手が挿入されたことを検知したセンサー４６からの信号を受けて電磁ポンプ４８を一定時間作動させる機能を有している。
【００３５】
６０は自動・手動切替スイッチで、消毒液噴霧器１の上面に設けられており、センサー４６の下方に手を挿入すると、手の挿入を検知して自動的に消毒液を噴霧する自動運転と、センサー４６の下方に手を挿入してもセンサー４６が作動せず別な作動スイッチによって消毒液を噴霧する手動運転とを切り替えるもので、自動・手動切替スイッチ６０が自動位置のときにセンサー４６をオンし、手動位置のときにセンサー４６をオフする回路構成となっている。
【００３６】
７５は前記噴霧ノズル４４の軸角度を検出する角度センサー、７６は自動運転停止スイッチである。角度センサー７５は、図８に示す如く、回動軸７１に固着された変心カム  ７７によって所定角（本実施例においては、垂直方向）より大きくなる（横方向に起き上がる）と角度センサー７５が作動し、自動運転停止スイッチ７６を作動し、図１４に示す如く、センサー４６と自動・手動切替スイッチ６０とを接続する回路を遮断し、これによってセンサー４６は作動せず、センサー４６による自動運転は停止されるようになっている。
【００３７】
次に、本実施例の作用について説明する。
収納容器４３内に使用する消毒液、例えば消毒液を入れ、噴霧器本体４０を携行して使用する場合には把手４２を持って目的の場所まで移動し、自動・手動切替スイッチ６０を自動位置にセットし自動運転状態にしておき、角度センサー７５が噴霧ノズル４４の軸角度が所定値以下である場合に、自動運転停止スイッチ７６が作動せずセンサー４６に接続する回路が遮断されず自動運転が可能となる。この自動運転状態で、センサー４６の下方に手を入れ、センサー４６の検知によって制御回路４７を作動し、電磁ポンプ４８を一定時間駆動させて一定量の消毒液を噴霧ノズル４４から噴霧させる。
【００３８】
また、自動・手動切替スイッチ６０を自動位置にセットし自動運転状態にしてあっても、噴霧ノズル４４の軸角度が所定値以上であると角度センサー７５が検出すると自動運転停止スイッチ７６が作動しセンサー４６に接続する回路が遮断され自動運転ができない状態となる。この自動運転停止スイッチ７６が作動した状態で、センサー４６の下方に手を入れても、制御回路４７が作動することはなく、消毒液が噴霧ノズル４４から噴霧することはない。
【００３９】
また、自動・手動切替スイッチ６０を手動位置にセットし手動運転状態にしておくと、噴霧ノズル４４の軸角度の大きさに拘らず手動噴霧スイッチ６１を入れることによって制御回路４７が作動し、電磁ポンプ４８を一定時間駆動させて一定量の消毒液を噴霧ノズル４４から噴霧することになる。
【００４０】
噴霧器本体４０を台座４１の上に載置して使用する場合には、電源端子３２をコンセント等に差し込み、ＡＣ電源を供給し、充電器５８によってＤＣ変換してＤＣ電源供給端子５２から供給されるＤＣ電源を用い、自動・手動切替スイッチ６０を自動位置にセットし自動運転状態にしておき、角度センサー７５が噴霧ノズル４４の軸角度が所定値以下である場合に、自動運転停止スイッチ７６が作動せずセンサー４６に接続する回路が遮断されず自動運転が可能となる。この自動運転状態で、センサー４６の下方に手を入れ、センサー４６の検知によって制御回路４７を作動し、電磁ポンプ４８を一定時間駆動させて一定量の消毒液を噴霧ノズル４４から噴霧させる。
【００４１】
また、自動・手動切替スイッチ６０を自動位置にセットし自動運転状態にしてあっても、噴霧ノズル４４の軸角度が所定値以上であると角度センサー７５が検出すると自動運転停止スイッチ７６が作動しセンサー４６に接続する回路が遮断され自動運転ができない状態となる。この自動運転停止スイッチ７６が作動した状態で、センサー４６の下方に手を入れても、制御回路４７が作動することはなく、消毒液が噴霧ノズル４４から噴霧することはない。
【００４２】
また、自動・手動切替スイッチ６０を手動位置にセットし手動運転状態にしておくと、噴霧ノズル４４の軸角度の大きさに拘らず手動噴霧スイッチ６１を入れることによって制御回路４７が作動し、電磁ポンプ４８を一定時間駆動させて一定量の消毒液を噴霧ノズル４４から噴霧することになる。
【００４３】
図４、図５、図６、図７、図８、図１０には、本願請求項３記載の発明に係る消毒器の一実施例が示されている。
図において、１は消毒液噴霧器で、噴霧器本体４０と台座４１とによって構成されている。
噴霧器本体４０は、台座４１とは別体に構成し、噴霧器本体４０を図５に示す如く、台座４１から取り外して独立して使用できるように構成しており、基本的には、請求項２に記載の発明の実施例と同一であるが、本実施例は、噴霧ノズル４４の軸方向が垂直方向にあることを検出するノズル定位置検出センサー８０と、ノズル定位置検出センサー８０の検出がある場合のみセンサー４６を作動させるセンサー作動スイッチ８１を設けている点で、請求項２に記載の発明の実施例と異なっている。
ノズル定位置検出センサー８０は、図８に示す如く、回動軸７１に固着された変心カム７７によって噴霧ノズル４４が垂直方向に向いたときにリミットスイッチを叩き作動し、センサー作動スイッチ８１を作動し、図１０に示す如く、センサー４６と自動・手動切替スイッチ６０とを接続する回路を閉成する。これによってセンサー４６が作動可能状態となり、センサー４６による自動運転ができる状態となる。一方、噴霧ノズル４４を回動し、垂直位置から先端が上に向き始めると、回動軸７１に固着された変心カム７７による押え付けがなくなりリミットスイッチがオフとなり、センサー作動スイッチ８１がオフとなってセンサー  ４６と自動・手動切替スイッチ６０とを接続する回路が開成し、センサー４６による自動運転ができない状態となる。
【００４４】
次に、本実施例の作用について説明する。
収納容器４３内に使用する消毒液、例えば消毒液を入れ、噴霧器本体４０を携行して使用する場合には把手４２を持って目的の場所まで移動し、自動・手動切替スイッチ６０を自動位置にセットし自動運転状態にしておき、噴霧ノズル４４が垂直方向に向きノズル定位置検出センサー８０が定位置を検出するとセンサー作動スイッチ８１が作動し、センサー４６に接続する回路が遮断されず自動運転が可能となる。この自動運転状態で、センサー４６の下方に手を入れ、センサー  ４６の検知によって制御回路４７を作動し、電磁ポンプ４８を一定時間駆動させて一定量の消毒液を噴霧ノズル４４から噴霧させる。
【００４５】
また、自動・手動切替スイッチ６０を自動位置にセットし自動運転状態にしてあっても、噴霧ノズル４４が定位置にないとノズル定位置検出センサー８０が定位置を検出しないためセンサー作動スイッチ８１が作動せず、センサー４６に接続する回路が遮断され自動運転ができない状態になる。このセンサー作動スイッチ８１が作動しない状態で、センサー４６の下方に手を入れても、制御回路４７が作動することはなく、消毒液が噴霧ノズル４４から噴霧することはない。
【００４６】
また、自動・手動切替スイッチ６０を手動位置にセットし手動運転状態にしておくと、噴霧ノズル４４の位置がどの位置にあってもセンサー作動スイッチ    ８１の作動の有無に拘らず、センサー４６に接続する回路がオフとなり自動運転ができない状態になっており、センサー４６では制御回路４７が作動することはなく、手動噴霧スイッチ６１を入れることによって制御回路４７が作動し、電磁ポンプ４８を一定時間駆動させて一定量の消毒液を噴霧ノズル４４から噴霧することになる。噴霧器本体４０を台座４１の上に載置して使用する場合も、噴霧器本体４０を携行して使用する場合と同様である。
【００４７】
【発明の効果】
本発明によれば、適量な消毒液量で手に十分な擦り込みを行うことができ、噴霧器本体のみを携行することができ、停電等の緊急時にも安定した状態で使用することができ、必要に応じ噴霧しようとする箇所に消毒液を噴霧することができ、噴霧ノズルの下方に手を挿入しなくても消毒液を噴霧することができる。
【図面の簡単な説明】
【図１】本願請求項１に記載の発明に係る消毒器の全体斜視図である。
【図２】図１に図示の消毒器の底面図である。
【図３】本願請求項１に記載の発明に係る消毒器の動作回路図である。
【図４】本願請求項２，３に記載の発明に係る消毒器の全体斜視図である。
【図５】本願請求項２，３に記載の発明に係る消毒器の噴霧器本体の斜視図である。
【図６】図５に図示の噴霧器本体の底面図である。
【図７】本願請求項２，３に記載の発明に係る消毒器の台座の斜視図である。
【図８】図６に図示の噴霧ノズルの一部断面の側面図である。
【図９】本願請求項２に記載の発明に係る消毒器の動作回路図である。
【図１０】本願請求項３に記載の発明に係る消毒器の動作回路図である。
【符号の説明】
１………………………………………………………消毒液噴霧器
２………………………………………………………収納容器
３………………………………………………………本体
４………………………………………………………噴霧ノズル
５………………………………………………………噴霧時間調節ツマミ
６………………………………………………………センサー
７………………………………………………………制御回路
８………………………………………………………電磁ポンプ
９………………………………………………………自動・手動切替スイッチ
１０……………………………………………………把手
１１……………………………………………………手動噴霧スイッチ
１２……………………………………………………バッテリ
３２……………………………………………………把手
４０……………………………………………………噴霧器本体
４１……………………………………………………台座
４２……………………………………………………把手
４３……………………………………………………収納容器
４４……………………………………………………噴霧ノズル
４５……………………………………………………噴霧時間調節ツマミ
４６……………………………………………………センサー
４７……………………………………………………制御回路
４８……………………………………………………電磁ポンプ
５１……………………………………………………支持台
５２……………………………………………………ＤＣ電源供給端子
５３……………………………………………………接続端子
５４……………………………………………………受台
５５……………………………………………………トレイ
５６……………………………………………………排出口
５７……………………………………………………充電池
５８……………………………………………………充電器
５９……………………………………………………充電時間切換スイッチ
６０……………………………………………………自動・手動切替スイッチ
６１……………………………………………………手動噴霧スイッチ
７０……………………………………………………ディフューザ
７１……………………………………………………回動軸
７２……………………………………………………カム
７３……………………………………………………凹部
７４……………………………………………………ストッパ
７５……………………………………………………角度センサー
７６……………………………………………………自動運転停止スイッチ
７７……………………………………………………変心カム
８０……………………………………………………ノズル定位置検出センサー
８１……………………………………………………センサー作動スイッチ
【図１】
0003615259.tif 000002
【図２】
0003615259.tif 000003
【図３】
0003615259.tif 000004
【図４】
0003615259.tif 000005
【図５】
0003615259.tif 000006
【図６】
0003615259.tif 000007
【図７】
0003615259.tif 000008
【図８】
0003615259.tif 000009
【図９】
0003615259.tif 000010
【図１０】
0003615259.tif 000011